【手続補正書】
【提出日】平成19年12月20日(2007.12.20)
【手続補正１】
【補正対象書類名】明細書
【補正対象項目名】特許請求の範囲
【補正方法】変更
【補正の内容】
【特許請求の範囲】
【請求項１】  複数行の走査線と複数列の信号線を基板上にマトリクス状に配置し、該走査線と信号線の交点を単位画素として隣接する少なくとも２つ以上の単位画素により表示画素を形成し、各単位画素毎に、素子に流れる電流に応じて輝度が変化する電流制御型の発光素子を備えたアクティブマトリクス型の表示パネルであって、
各単位画素は、少なくとも第１乃至第４トランジスタと保持容量と上記発光素子を有し、
第１トランジスタのゲート電極が単位画素行毎に共通に走査線に接続され、第１主電極が単位画素列毎に共通に信号線に接続され、第２主電極が第２トランジスタの第１主電極、ゲート電極、及び第３トランジスタの第１主電極に接続され、第２トランジスタの第２主電極が第１の電源線に接続され、
第３トランジスタのゲート電極が単位画素行毎に共通に走査線に接続され、第２主電極が保持容量の第１電極及び第４トランジスタのゲート電極に接続され、
保持容量の第２電極が第１の電源線に接続され、
第４トランジスタの第１主電極が第１の電源線に接続され、第２主電極が発光素子の第１電極に接続され、
発光素子の第２電極が第２の電源線に接続され、
表示画素列毎に信号線が共通に、該表示画素列毎に設けられた定電流回路に接続され、
第２トランジスタと第４トランジスタにおけるトランジスタのゲート電極の長さ（Ｌ）と幅（Ｗ）の比（Ｗ／Ｌ）の割合が、表示画素内において単位画素毎に異なることを特徴とする表示パネル。
【請求項２】  上記第４トランジスタの第２主電極がスイッチ手段を介して発光素子の第１電極に接続されている請求項１に記載の表示パネル。
【請求項３】  上記スイッチ手段が２入力のマルチプレクサで構成されている請求項２に記載の表示パネル。
【請求項４】  上記スイッチ手段が第５トランジスタと第６トランジスタを直列に接続してなり、第５トランジスタの第１主電極が前記第４トランジスタの第２主電極に、第６トランジスタの第２主電極が発光素子の第１電極に接続され、前記第５及び第６トランジスタのゲート電極を２入力とするマルチプレクサを構成してなる請求項３に記載の表示パネル。
【請求項５】  上記スイッチ手段が第５トランジスタで構成され、第１主電極が前記第４トランジスタの第２主電極に、第２主電極が発光素子の第１電極に接続され、当該トランジスタのゲート電極と発光素子の第２電極とを２入力とするマルチプレクサが構成されている請求項３に記載の表示パネル。
【請求項６】  請求項１〜５のいずれかに記載の表示パネルの駆動方法であって、
単位画素行毎に順次走査線に選択信号を印加して、選択した単位画素行の単位画素の第１乃至第３トランジスタをオンし、
上記第１トランジスタのオン期間に同期して、当該単位画素の発光素子の発光・非発光情報を有する駆動信号を各信号線より第１及び第３トランジスタを介して保持容量に印加し、該駆動信号の情報に応じて第４トランジスタをオンして第１の電源線より該第４トランジスタを介して発光素子に電流を供給することを特徴とする表示パネルの駆動方法。
【請求項７】  第４トランジスタと発光素子との間にスイッチ手段を有し、第４トランジスタから発光素子への電流の供給を、該スイッチ手段のオン・オフによって制御する請求項６に記載の表示パネルの駆動方法。
【請求項８】  上記スイッチ手段のオン期間を変調することによって、発光素子の発光時間を変調する請求項７に記載の表示パネルの駆動方法。
【請求項９】  上記スイッチ手段が２入力のマルチプレクサで構成され、該スイッチ手段のオン期間の変調を、上記スイッチ手段に入力する信号によって制御する請求項８に記載の表示パネルの駆動方法。
【請求項１０】  上記スイッチ手段が２つのトランジスタを直列に接続してなり、前記２つのトランジスタのゲート電極を２入力としてマルチプレクス駆動する請求項９に記載の表示パネルの駆動方法。
【請求項１１】  上記スイッチ手段が１個のトランジスタで構成され、該トランジスタのゲート電極と発光素子の該トランジスタが接続されていない側の電極とを２入力としてマルチプレクス駆動し、発光素子の発光時間を変調する請求項７に記載の表示パネルの駆動方法。
【手続補正２】
【補正対象書類名】明細書
【補正対象項目名】００２９
【補正方法】変更
【補正の内容】
【００２９】
【課題を解決するための手段】
本発明の第一は、複数行の走査線と複数列の信号線を基板上にマトリクス状に配置し、該走査線と信号線の交点を単位画素として隣接する少なくとも２つ以上の単位画素により表示画素を形成し、各単位画素毎に、素子に流れる電流に応じて輝度が変化する電流制御型の発光素子を備えたアクティブマトリクス型の表示パネルであって、
各単位画素は、少なくとも第１乃至第４トランジスタと保持容量と上記発光素子を有し、
第１トランジスタのゲート電極が単位画素行毎に共通に走査線に接続され、第１主電極が単位画素列毎に共通に信号線に接続され、第２主電極が第２トランジスタの第１主電極、ゲート電極、及び第３トランジスタの第１主電極に接続され、第２トランジスタの第２主電極が第１の電源線に接続され、
第３トランジスタのゲート電極が単位画素行毎に共通に走査線に接続され、第２主電極が保持容量の第１電極及び第４トランジスタのゲート電極に接続され、
保持容量の第２電極が第１の電源線に接続され、
第４トランジスタの第１主電極が第１の電源線に接続され、第２主電極が発光素子の第１電極に接続され、
発光素子の第２電極が第２の電源線に接続され、
表示画素列毎に信号線が共通に、該表示画素列毎に設けられた定電流回路に接続され、
第２トランジスタと第４トランジスタにおけるトランジスタのゲート電極の長さ（Ｌ）と幅（Ｗ）の比（Ｗ／Ｌ）の割合が、表示画素内において単位画素毎に異なることを特徴とする
【手続補正３】
【補正対象書類名】明細書
【補正対象項目名】００３１
【補正方法】削除
【補正の内容】
【手続補正４】
【補正対象書類名】明細書
【補正対象項目名】００３４
【補正方法】変更
【補正の内容】
【００３４】
上記スイッチ手段が第５トランジスタと第６トランジスタを直列に接続してなり、第５トランジスタの第１主電極が前記第４トランジスタの第２主電極に、第６トランジスタの第２主電極が発光素子の第１電極に接続され、前記第５及び第６トランジスタのゲート電極を２入力とするマルチプレクサを構成してなる。
【手続補正５】
【補正対象書類名】明細書
【補正対象項目名】００３６
【補正方法】変更
【補正の内容】
【００３６】
本発明の第二は、上記本発明の表示パネルの駆動方法であって、
単位画素行毎に順次走査線に選択信号を印加して、選択した単位画素行の単位画素の第１乃至第３トランジスタをオンし、
上記第１トランジスタのオン期間に同期して、当該単位画素の発光素子の発光・非発光情報を有する駆動信号を各信号線より第１及び第３トランジスタを介して保持容量に印加し、該駆動信号の情報に応じて第４トランジスタをオンして第１の電源線より該第４トランジスタを介して発光素子に電流を供給することを特徴とする。
【手続補正６】
【補正対象書類名】明細書
【補正対象項目名】００４０
【補正方法】変更
【補正の内容】
【００４０】
上記スイッチ手段が２入力のマルチプレクサで構成され、該スイッチ手段のオン期間の変調を、上記スイッチ手段に入力する信号によって制御する。
【手続補正７】
【補正対象書類名】明細書
【補正対象項目名】００４１
【補正方法】変更
【補正の内容】
【００４１】
上記スイッチ手段が２つのトランジスタを直列に接続してなり、前記２つのトランジスタのゲート電極を２入力としてマルチプレクス駆動する。